(57)【要約】【課題】  従来工法による建築方法と同様の機能及び安全性を有し、短期間で且つ安価に建築する建築物の建築方法及び構造を提供する。【解決手段】  上面四角形状の基礎用周回溝を掘る工程、前記基礎用周回溝に砕石を敷く工程、アンカーボルト付き弾性支承連続基礎梁を作成する工程、３ｍｍ以下の鉄板を用いた超軽量中空鉄骨材で構成された超軽量中空鉄骨枠材であり、前記超軽量中空鉄骨枠材を構成する前記超軽量中空鉄骨材の少なくとも一面にボルトを通すための貫通孔を有し且つ前記貫通孔内部にパイプ管が挿入せしめられてなる複数の超軽量中空鉄骨枠材を、前記弾性支承連続基礎梁上に立設せしめて、アンカーボルトで固定せしめ、且つ前記超軽量中空鉄骨枠材同士をボルトで連結固定せしめて壁の骨組みを構築する工程、前記骨組みに壁パネルを取り付け、前記骨組み上に屋根を取り付ける工程、を有するようにした。【選択図】図１
2014177848.tif 000002
【特許請求の範囲】
【請求項１】
下記する工程（ａ）〜（ｅ）を有することを特徴とする建築物の建築方法。
（ａ）建設予定地の床用地面の基礎形成部分に所定の深さを有する上面四角形状の基礎用周回溝を掘る工程、
（ｂ）前記基礎用周回溝に砕石を敷く工程、
（ｃ）前記砕石を敷いた前記基礎用周回溝に鉄筋及び／又は鉄骨を周回状に載置し、コンクリートを打設することにより、弾性支承連続基礎梁を作成すると共に、アンカーボルトが等間隔で型板に固定突出せしめられたアンカーボルト型板部材を立設せしめてアンカーボルト付き弾性支承連続基礎梁を作成する工程、
（ｄ）３ｍｍ以下の鉄板を用いた超軽量中空鉄骨材で構成された超軽量中空鉄骨枠材であり、前記超軽量中空鉄骨枠材を構成する前記超軽量中空鉄骨材の少なくとも一面にボルトを通すための貫通孔を有し且つ前記貫通孔内部にパイプ管が挿入せしめられてなる複数の超軽量中空鉄骨枠材を、前記弾性支承連続基礎梁上に立設せしめて、アンカーボルトで固定せしめ、且つ前記超軽量中空鉄骨枠材同士をボルトで連結固定せしめて壁の骨組みを構築する工程、
（ｅ）前記骨組みに壁パネルを取り付け、前記骨組み上に屋根を取り付ける工程。
【請求項２】
前記超軽量中空鉄骨材が、前記貫通孔が設けられた面とは他方の面に、手を入れてボルトを締緩するための作業穴が設けられていることを特徴とする請求項１記載の建築物の建築方法。
【請求項３】
建設予定地の床用地面の基礎形成部分に所定の深さを有して形成された弾性支承連続基礎梁にアンカーボルトが等間隔で型板に固定突出せしめられたアンカーボルト型板部材を立設せしめられたアンカーボルト付き弾性支承連続基礎梁と、
３ｍｍ以下の鉄板を用いた超軽量中空鉄骨材で構成された超軽量中空鉄骨枠材であり、前記超軽量中空鉄骨枠材を構成する前記超軽量中空鉄骨材の少なくとも一面にボルトを通すための貫通孔を有し且つ前記貫通孔内部にパイプ管が挿入せしめられてなる複数の超軽量中空鉄骨枠材を、前記アンカーボルト付き弾性支承連続基礎梁上に立設せしめて、アンカーボルトで固定せしめ、且つ前記超軽量中空鉄骨枠材同士をボルトで連結固定せしめて構築された壁の骨組みと、
前記骨組みに取り付けられた壁パネルと、
前記骨組み上に取り付けられた屋根と、
から構成されることを特徴とする建築物の構造。
【請求項４】
前記超軽量中空鉄骨材が、前記貫通孔が設けられた面とは他方の面に、手を入れてボルトを締緩するための作業穴が設けられていることを特徴とする請求項３記載の建築物の構造。
【発明の詳細な説明】
【技術分野】
【０００１】
本発明は、店舗やガソリンスタンドの事務所棟などの建屋を従来工法による建屋と同様の機能及び安全性を確保し、短期間で、かつ安価に建築することを可能とする建屋の建築方法及び構造に関する。
【背景技術】
【０００２】
従来、本願出願人は、ガソリンスタンドの事務所棟などの建築方法として、例えば、特許文献１に記載された建築方法を提案している。
【０００３】
また、本願出願人は、チェーンストア展開する店舗やコンビニエンスストアに好適な分解可能な建築構造として、特許文献２に記載された分解可能な建築構造も提案している。
【先行技術文献】
【特許文献】
【０００４】
【特許文献１】特許第２６２００３５公報
【特許文献２】登録実用新案公報第３１５０３４２公報
【発明の概要】
【発明が解決しようとする課題】
【０００５】
本願出願人は、さらに鋭意検討を重ねた結果、ガソリンスタンドの事務所棟を含め、チェーンストア展開する店舗やコンビニエンスストアにも好適に使用でき、従来工法による建築方法と同様の機能及び安全性を有し、短期間で且つ安価に建築する方法及び構造を見出した。
【０００６】
すなわち、本発明は、上記従来技術に鑑みてなされたもので、従来工法による建築方法と同様の機能及び安全性を有し、短期間で且つ安価に建築する建築物の建築方法及び構造を提供することを目的とする。
【課題を解決するための手段】
【０００７】
上記課題を解決するために、本発明の建築物の建築方法は、下記する工程（ａ）〜（ｅ）を有することを特徴とする。
（ａ）建設予定地の床用地面の基礎形成部分に所定の深さを有する上面四角形状の基礎用周回溝を掘る工程、
（ｂ）前記基礎用周回溝に砕石を敷く工程、
（ｃ）前記砕石を敷いた前記基礎用周回溝に鉄筋及び／又は鉄骨を周回状に載置し、コンクリートを打設することにより、弾性支承連続基礎梁を作成すると共に、アンカーボルトが等間隔で型板に固定突出せしめられたアンカーボルト型板部材を立設せしめてアンカーボルト付き弾性支承連続基礎梁を作成する工程、
（ｄ）３ｍｍ以下の鉄板を用いた超軽量中空鉄骨材で構成された超軽量中空鉄骨枠材であり、前記超軽量中空鉄骨枠材を構成する前記超軽量中空鉄骨材の少なくとも一面にボルトを通すための貫通孔を有し且つ前記貫通孔内部にパイプ管が挿入せしめられてなる複数の超軽量中空鉄骨枠材を、前記弾性支承連続基礎梁上に立設せしめて、アンカーボルトで固定せしめ、且つ前記超軽量中空鉄骨枠材同士をボルトで連結固定せしめて壁の骨組みを構築する工程、
（ｅ）前記骨組みに壁パネルを取り付け、前記骨組み上に屋根を取り付ける工程。
【０００８】
なお、前記基礎用周回溝に砕石を敷いた後に必要に応じて捨てコンクリートを打設する。また、アンカーボルト付き弾性支承連続基礎梁の作成と共に、床用コンクリートを打設するようにするのが好ましい。
【０００９】
軽量鉄骨は６ｍｍ未満の鉄板で構成されているが、本発明の建築物の建築方法では、３ｍｍ以下の鉄板で構成された超軽量中空鉄骨材を用いており、超軽量中空鉄骨材を用いた超軽量中空鉄骨枠材を弾性支承連続基礎梁と組み合わせることで、従来よりも軽量化及び簡素化を実現している。
【００１０】
また、本発明の建築物の建築方法では、主に従来のような建築物の鉄骨工事が不要となるため、直接工事費の削減に繋がるという利点がある。
【００１１】
また、工期の短縮となるため、施設稼働日数の伸張に繋がるという利点もある。
【００１２】
さらに、かなりの確率で地盤の支持杭の工事が不要になる。これは、上記した主に従来のような建築物の鉄骨工事が不要となることによる、直接工事費の削減と併せて、借地返還時の原状回復費の削減に繋がるという利点がある。
【００１３】
さらにまた、本発明の建築物の建築方法では、上記した超軽量中空鉄骨材を用いた超軽量中空鉄骨枠材の再利用を前提とした工法となっており、規格化された店舗での部材転用が可能となるという利点もある。すなわち、本発明の建築物の建築方法は、借地返還時の費用削減、部材の再利用も可能であり、ローコストで再利用することができる工法である。
【００１４】
前記超軽量中空鉄骨材が、前記貫通孔が設けられた面とは他方の面に、手を入れてボルトを締緩するための作業穴が設けられているのが好ましい。ボルトを締緩するための作業穴が設けられていることで、作業のし易さが確保されるからである。
【００１５】
本発明の建築物の構造は、建設予定地の床用地面の基礎形成部分に所定の深さを有して形成された弾性支承連続基礎梁にアンカーボルトが等間隔で型板に固定突出せしめられたアンカーボルト型板部材を立設せしめられたアンカーボルト付き弾性支承連続基礎梁と、３ｍｍ以下の鉄板を用いた超軽量中空鉄骨材で構成された超軽量中空鉄骨枠材であり、前記超軽量中空鉄骨枠材を構成する前記超軽量中空鉄骨材の少なくとも一面にボルトを通すための貫通孔を有し且つ前記貫通孔内部にパイプ管が挿入せしめられてなる複数の超軽量中空鉄骨枠材を、前記アンカーボルト付き弾性支承連続基礎梁上に立設せしめて、アンカーボルトで固定せしめ、且つ前記超軽量中空鉄骨枠材同士をボルトで連結固定せしめて構築された壁の骨組みと、前記骨組みに取り付けられた壁パネルと、前記骨組み上に取り付けられた屋根と、から構成されることを特徴とする。
【００１６】
本発明の建築物の構造は、上記した本発明の建築物の建築方法の利点を有するものである。
【００１７】
また、前記超軽量中空鉄骨材が、前記貫通孔が設けられた面とは他方の面に、手を入れてボルトを締緩するための作業穴が設けられているのが好ましい。
【発明の効果】
【００１８】
本発明の建築物の建築方法及び構造によれば、従来工法による建築方法と同様の機能及び安全性を有し、短期間で且つ安価に建築する建築物の方法及び構造を提供することができるという著大な効果を奏する。
【図面の簡単な説明】
【００１９】
【図１】本発明の建築方法で建築物を建築している途中の状態を示す要部斜視図である。
【図２】アンカーボルト付き弾性支承連続基礎梁を作成している途中の状態を示す要部斜視図である。
【図３】アンカーボルト型板部材の一つの実施の形態を示す要部斜視図である。
【図４】アンカーボルト付き弾性支承連続基礎梁の概略断面図である。
【図５】アンカーボルト付き弾性支承連続基礎梁の凸端部の要部拡大図である。
【図６】超軽量中空鉄骨枠材の一つの実施の形態を示す斜視図である。
【図７】弾性支承連続基礎梁上に超軽量中空鉄骨枠材を立設せしめてアンカーボルトで固定した状態を示す要部断面図である。
【図８】超軽量中空鉄骨枠材同士を連結固定せしめた状態を示す正面図である。
【図９】図８の要部拡大断面図である。
【図１０】アンカーボルト付き弾性支承連続基礎梁上に超軽量中空鉄骨枠材を立設せしめ、且つ超軽量中空鉄骨枠材同士を連結固定せしめて壁の骨組みを構築した状態を示す要部斜視図である。
【図１１】前記骨組みに壁パネルを取り付けている状態を示す要部斜視図である。
【図１２】本発明の建築方法で建築した建築物を示す斜視図である。
【発明を実施するための形態】
【００２０】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００２１】
図１は本発明の建築方法で建築物を建築している途中の状態を示す要部斜視図である。図１において、符号１２は、アンカーボルト付き弾性支承連続基礎梁であり、アンカーボルト付き弾性支承連続基礎梁１２は、図２及び図４によく示されるような弾性支承連続基礎梁２６にアンカーボルト１６が等間隔で型板に固定突出せしめられたアンカーボルト型板部材１０を立設せしめて形成されている。
【００２２】
アンカーボルト付き弾性支承連続基礎梁１２上に、超軽量中空鉄骨枠材１４を立設せしめて、アンカーボルト１６で固定せしめ、且つ前記超軽量中空鉄骨枠材１４同士をボルトで連結固定せしめて壁の骨組み１８が構築されている。骨組み１８には、壁パネル２０が取り付けられており、前記壁パネル２０を骨組み１８を覆うように全て取り付け、前記骨組み上に屋根を取り付けることで本発明の建築物の構造となる。以下に本発明の建築物の建築方法を詳述する。
【００２３】
図２はアンカーボルト付き弾性支承連続基礎梁を作成している途中の状態を示す要部斜視図、図３はアンカーボルト型板部材の一つの実施の形態を示す要部斜視図、図４はアンカーボルト付き弾性支承連続基礎梁の概略断面図である。
【００２４】
建設予定地の床用地面Ｇの基礎形成部分に所定の深さを有する上面四角形状の基礎用周回溝２２を掘り、前記基礎用周回溝２２に砕石２４を敷いて、前記砕石２４を敷いた前記基礎用周回溝２２に鉄筋及び／又は鉄骨２８（図示例では鉄筋）を周回状に載置し、コンクリートを打設することにより、弾性支承連続基礎梁２６を作成すると共に、アンカーボルト１６が等間隔で型板１５に固定突出せしめられたアンカーボルト型板部材１０を立設せしめてコンクリートを打設しアンカーボルト付き弾性支承連続基礎梁１２が作成される。
【００２５】
なお、図２及び図４において、符号２５は捨てコンクリートである。また、図４において、アンカーボルト付き弾性支承連続基礎梁１２の作成と共に、床用コンクリート２７が打設されている。
【００２６】
アンカーボルト型板部材１０は、図３によく示される如く、アンカーボルト１６が等間隔で型板１５に固定突出せしめられてなる部材である。図３において、アンカーボルト１６同士の間隔Ｄは等間隔とされている。なお、図２の例では、型板１５の端部１７が曲折せしめられているが、必要に応じて曲折せしめられればよいものであり、図３のように曲折していない形状としてもよい。
【００２７】
そして、アンカーボルト型板部材１０を立設せしめてコンクリートを打設することで、アンカーボルト付き弾性支承連続基礎梁１２の端部には、図４及び図５によく示されるように、凸端部１９が形成される。凸端部１９は、型板１５がコンクリート内に埋まっている。
【００２８】
なお、アンカーボルト付き弾性支承連続基礎梁２６は、基礎の役目を果たすと共に梁の役目を果たすため、本願明細書において弾性支承連続基礎梁と呼称する。
【００２９】
また、超軽量中空鉄骨枠材１４の一つの実施の形態を図６に示す。図６において、符号１４は、超軽量中空鉄骨枠材を示す。超軽量中空鉄骨枠材１４は、３ｍｍ以下の鉄板を用いた超軽量中空鉄骨材３６で構成されており、前記超軽量中空鉄骨枠材１４を構成する前記超軽量中空鉄骨材３６の少なくとも一面３８にボルトを通すための貫通孔４０を有し且つ前記貫通孔４０内部にパイプ管４２が挿入せしめられてなる。また、前記貫通孔４０が設けられた一面３８の前記貫通孔４０の周囲には、補強のための鉄板４３が取り付けられている。なお、パイプ管４２は鉄製の鋼管である。また、超軽量中空鉄骨材３６は２．３ｍｍの鉄板で構成した角材を使用した。
【００３０】
また、前記超軽量中空鉄骨材３６が、前記貫通孔４０が設けられた面３８とは他方の面４４に、手を入れてボルトを締緩するための作業穴４６が設けられている。なお、超軽量中空鉄骨枠材１４には、筋交い４８が設けられている。
【００３１】
そして、複数の超軽量中空鉄骨枠材１４を、前記弾性支承連続基礎梁１２上に立設せしめて、アンカーボルト１６で固定せしめ、且つ前記超軽量中空鉄骨枠材１４同士をボルトで連結固定せしめて壁の骨組み１８を構築する。超軽量中空鉄骨枠材１４を、前記弾性支承連続基礎梁１２上に立設せしめてアンカーボルト１６で固定せしめた状態を図７に示す。なお、図７において、符号３４はナット、符号５０はワッシャーを示す。
【００３２】
超軽量中空鉄骨枠材１４同士を連結固定せしめた状態を図８及び図９に示す。図８及び図９によく示される如く、複数の超軽量中空鉄骨枠材１４は、鉄板４３を介してボルト５２で連結固定されている。なお、図９において、符号３２はナット、符号５４はワッシャーを示す。また、図９によく示されるように、前記超軽量中空鉄骨材３６には、前記貫通孔４０が設けられた面３８とは他方の面４４に、手を入れてボルトを締緩するための作業穴４６が設けられている。
【００３３】
そして、図１０及び図１１に示される如く、構築された壁の骨組み１８に壁パネル２０を取り付け、前記骨組み１８上に屋根を取り付ける。
【００３４】
このようにして、図１２に示される如く、本発明に係る建築物５６の構造が完成する。図１２の例では、コンビニエンスストアの例を示した。本発明に係る建築物の建築方法では、従来では、８０日〜１２０日程度必要としていた工期が４０日〜６０日と約半分になる。また、３ｍｍ以下の超軽量鉄骨を使用するため、従来よりも鉄骨量を削減することができ、コスト削減となるとともに省資源にも寄与することとなる。
【符号の説明】
【００３５】
１０：アンカーボルト型板部材、１２：アンカーボルト付き弾性支承連続基礎梁、１４：超軽量中空鉄骨枠材、１５：型板、１６：アンカーボルト、１７：型板の端部、１８：骨組み、１９：アンカーボルト付き弾性支承連続基礎梁の凸端部、２０：壁パネル、２２：基礎用周回溝、２４：砕石、２５：捨てコンクリート、２６：     弾性支承連続基礎梁、２７：床用コンクリート、２８：鉄筋及び／又は鉄骨、３２，３４：ナット、３６：超軽量中空鉄骨材、３８：貫通孔を有する面、４０：貫通孔、４２：パイプ管、４３：鉄板、４４：他方の面、４６：作業穴、４８：筋交い、５０，５４：ワッシャー、５２：ボルト、５６：建築物、Ｄ：アンカーボルトの間隔、Ｇ：床用地面。
【図１】
2014177848.tif 000003
【図２】
2014177848.tif 000004
【図３】
2014177848.tif 000005
【図４】
2014177848.tif 000006
【図５】
2014177848.tif 000007
【図６】
2014177848.tif 000008
【図７】
2014177848.tif 000009
【図８】
2014177848.tif 000010
【図９】
2014177848.tif 000011
【図１０】
2014177848.tif 000012
【図１１】
2014177848.tif 000013
【図１２】
2014177848.tif 000014